(57)【要約】【課題】容易かつ確実に、収容された栽培土に法面を形成でき、その法面を維持することができ、また、種々の形状を容易に実現することができるプランターセットを提供すること。【解決手段】プランターセット１０は、複数種類のプランター１Ａ〜１Ｚ、１α〜１εを有している。プランター１Ａは、前板と、後板と、１対の側板と、底板と、中板と、プランター１Ａ内に収容される栽培土をせき止める３つの土止め板とを有している。プランター１Ａの前板、３つの土止め板、後板の各頂部の高さは、後方に位置するものほど高くなっている。プランター１Ｂは、前板と、１対の側板と、底板７と、中板９と、３つの土止め板とを有している。プランター１Ｑは、後板と、１対の側板と、底板と、中板と、３つの土止め板とを有している。【選択図】図１
2010246431.tif 000002
【特許請求の範囲】
【請求項１】
前方に配置された前板と、
後方に配置され、前記前板の頂部よりも高い頂部を有する後板と、
側方に配置された１対の側板と、
底に配置された底板と、
前記前板と前記後板との間に配置され、前記前板の頂部よりも高く、前記後板の頂部よりも低い頂部を有し、収容される栽培土をせき止める少なくとも１つの土止め板とを備える第１のプランターと、
前方に配置された前板と、
側方に配置され、後方で連結された１対の側板と、
底に配置された底板と、
前記前板よりも後方に配置され、前記前板の頂部よりも高い頂部を有し、収容される栽培土をせき止める少なくとも１つの土止め板とを備える第２のプランターとを有し、
前記第１のプランターと前記第２のプランターとを使用する際は、前記第１のプランターの前記側板と前記第２のプランターの前記側板とが対面するように、前記第１のプランターと前記第２のプランターとが配置されることを特徴とするプランターセット。
【請求項２】
前記第１のプランターの平面視での形状は、長方形である請求項１に記載のプランターセット。
【請求項３】
前記第１のプランターの前記土止め板の平面視での形状は、直線状であり、該土止め板は、前記前板および前記後板と平行に配置されている請求項２に記載のプランターセット。
【請求項４】
前記第２のプランターの平面視での形状は、前記前板または一方の前記側板が斜辺となる直角三角形である請求項１ないし３のいずれかに記載のプランターセット。
【請求項５】
前記第２のプランターの前記土止め板の平面視での形状は、直線状であり、該土止め板は、前記前板と平行に配置されている請求項４に記載のプランターセット。
【請求項６】
前記第２のプランターの平面視での形状は、前記前板または一方の前記側板が円弧状をなす扇形である請求項１ないし３のいずれかに記載のプランターセット。
【請求項７】
前記扇形の中心角は、９０°である請求項６に記載のプランターセット。
【請求項８】
前記第２のプランターの前記土止め板の平面視での形状は、前記扇形の円弧と同一の曲率を有する円弧状である請求項６または７に記載のプランターセット。
【請求項９】
後方に配置された後板と、
側方に配置され、前方で連結された１対の側板と、
底に配置された底板と、
前記後板よりも前方に配置され、前記後板の頂部よりも低い頂部を有し、収容される栽培土をせき止める少なくとも１つの土止め板とを備える第３のプランターを有し、
前記第３のプランターを使用する際は、前記第３のプランターは、その側板と、前記第１のプランターの前記側板または前記第２のプランターの前記側板とが対面するように配置される請求項１ないし８のいずれか記載のプランターセット。
【請求項１０】
前記第３のプランターの平面視での形状は、前記後板または一方の前記側板が斜辺となる直角三角形である請求項９に記載のプランターセット。
【請求項１１】
前記第３のプランターの前記土止め板の平面視での形状は、直線状であり、該土止め板は、前記後板と平行に配置されている請求項１０に記載のプランターセット。
【請求項１２】
前記第３のプランターの平面視での形状は、前記後板または一方の前記側板が円弧状をなす扇形である請求項９に記載のプランターセット。
【請求項１３】
前記扇形の中心角は、９０°である請求項１２に記載のプランターセット。
【請求項１４】
前記第３のプランターの前記土止め板の平面視での形状は、前記扇形の円弧と同一の曲率を有する円弧状である請求項１２または１３に記載のプランターセット。
【請求項１５】
当該プランターセットを使用する際は、前記第１のプランターと、前記第２のプランターと、前記第３のプランターとのうちから少なくとも２つを組み合わせて使用する請求項９ないし１４のいずれかに記載のプランターセット。
【請求項１６】
前記第２のプランターには、平面視で、前記１対の側板のなす角が９０°である第１のタイプと、前記前板と前記側板とのなす角が９０°である第２のタイプとが含まれ、
前記第３のプランターには、平面視で、前記１対の側板のなす角が９０°である第１のタイプと、前記後板と前記側板とのなす角が９０°である第２のタイプとが含まれ、
当該プランターセットを使用する際は、前記第１のプランターと、前記第１のタイプの前記第２のプランターと、前記第２のタイプの前記第２のプランターと、前記第１のタイプの前記第３のプランターと、前記第２のタイプの前記第３のプランターとのうちから少なくとも２つを組み合わせて使用する請求項９ないし１４のいずれかに記載のプランターセット。
【請求項１７】
前方に配置された前板と、
後方に配置され、前記前板の頂部よりも高い頂部を有する後板と、
側方に配置された１対の側板と、
底に配置された底板と、
前記前板と前記後板との間に配置され、前記前板の頂部よりも高く、前記後板の頂部よりも低い頂部を有し、収容される栽培土をせき止める少なくとも１つの土止め板とを備える第１のプランターと、
後方に配置された後板と、
側方に配置され、前方で連結された１対の側板と、
底に配置された底板と、
前記後板よりも前方に配置され、前記後板の頂部よりも低い頂部を有し、収容される栽培土をせき止める少なくとも１つの土止め板とを備える第３のプランターとを有し、
前記第１のプランターと前記第３のプランターとを使用する際は、前記第１のプランターの前記側板と前記第３のプランターの前記側板とが対面するように、前記第１のプランターと前記第３のプランターとが配置されることを特徴とするプランターセット。
【請求項１８】
前記第１のプランターの平面視での形状は、長方形である請求項１７に記載のプランターセット。
【請求項１９】
前記第１のプランターの前記土止め板の平面視での形状は、直線状であり、該土止め板は、前記前板および前記後板と平行に配置されている請求項１８に記載のプランターセット。
【請求項２０】
前記第３のプランターの平面視での形状は、前記後板または一方の前記側板が斜辺となる直角三角形である請求項１７ないし１９のいずれかに記載のプランターセット。
【請求項２１】
前記第３のプランターの前記土止め板の平面視での形状は、直線状であり、該土止め板は、前記後板と平行に配置されている請求項２０に記載のプランターセット。
【請求項２２】
前記第３のプランターの平面視での形状は、前記後板または一方の前記側板が円弧状をなす扇形である請求項１７ないし１９のいずれかに記載のプランターセット。
【請求項２３】
前記扇形の中心角は、９０°である請求項２２に記載のプランターセット。
【請求項２４】
前記第３のプランターの前記土止め板の平面視での形状は、前記扇形の円弧と同一の曲率を有する円弧状である請求項２２または２３に記載のプランターセット。
【請求項２５】
２つの前記プランターの前記対面した側板同士を連結する連結部材を有する請求項１ないし２４のいずれかに記載のプランターセット。
【発明の詳細な説明】
【技術分野】
【０００１】
本発明は、プランターセットに関するものである。
【背景技術】
【０００２】
植物の栽培に用いられるプランターが知られている。従来のプランターでは、そのプランター内に、表面が平らになるように栽培土が収容され、各種の植物が栽培されるのが一般的である（例えば、特許文献１参照）。
【０００３】
ところで、栽培土の表面を平らではなく、法面にすることができると、傾斜した山肌のような景観（雰囲気）を得ることができる。
【０００４】
しかしながら、従来のプランターでは、そのプランター内に収容された栽培土に法面を形成することは、困難であり、また、法面を形成することができても、その法面は、徐々に崩れてゆき、平らになってしまう。
【先行技術文献】
【特許文献】
【０００５】
【特許文献１】特開２００８−２９５６３０号公報
【発明の概要】
【発明が解決しようとする課題】
【０００６】
本発明の目的は、容易かつ確実に、収容された栽培土に法面を形成でき、その法面を維持することができ、また、種々の形状を容易に実現することができるプランターセットを提供することにある。
【課題を解決するための手段】
【０００７】
このような目的は、下記（１）〜（２５）の本発明により達成される。
（１）  前方に配置された前板と、
後方に配置され、前記前板の頂部よりも高い頂部を有する後板と、
側方に配置された１対の側板と、
底に配置された底板と、
前記前板と前記後板との間に配置され、前記前板の頂部よりも高く、前記後板の頂部よりも低い頂部を有し、収容される栽培土をせき止める少なくとも１つの土止め板とを備える第１のプランターと、
前方に配置された前板と、
側方に配置され、後方で連結された１対の側板と、
底に配置された底板と、
前記前板よりも後方に配置され、前記前板の頂部よりも高い頂部を有し、収容される栽培土をせき止める少なくとも１つの土止め板とを備える第２のプランターとを有し、
前記第１のプランターと前記第２のプランターとを使用する際は、前記第１のプランターの前記側板と前記第２のプランターの前記側板とが対面するように、前記第１のプランターと前記第２のプランターとが配置されることを特徴とするプランターセット。
【０００８】
（２）  前記第１のプランターの平面視での形状は、長方形である上記（１）に記載のプランターセット。
【０００９】
（３）  前記第１のプランターの前記土止め板の平面視での形状は、直線状であり、該土止め板は、前記前板および前記後板と平行に配置されている上記（２）に記載のプランターセット。
【００１０】
（４）  前記第２のプランターの平面視での形状は、前記前板または一方の前記側板が斜辺となる直角三角形である上記（１）ないし（３）のいずれかに記載のプランターセット。
【００１１】
（５）  前記第２のプランターの前記土止め板の平面視での形状は、直線状であり、該土止め板は、前記前板と平行に配置されている上記（４）に記載のプランターセット。
【００１２】
（６）  前記第２のプランターの平面視での形状は、前記前板または一方の前記側板が円弧状をなす扇形である上記（１）ないし（３）のいずれかに記載のプランターセット。
【００１３】
（７）  前記扇形の中心角は、９０°である上記（６）に記載のプランターセット。
【００１４】
（８）  前記第２のプランターの前記土止め板の平面視での形状は、前記扇形の円弧と同一の曲率を有する円弧状である上記（６）または（７）に記載のプランターセット。
【００１５】
（９）  後方に配置された後板と、
側方に配置され、前方で連結された１対の側板と、
底に配置された底板と、
前記後板よりも前方に配置され、前記後板の頂部よりも低い頂部を有し、収容される栽培土をせき止める少なくとも１つの土止め板とを備える第３のプランターを有し、
前記第３のプランターを使用する際は、前記第３のプランターは、その側板と、前記第１のプランターの前記側板または前記第２のプランターの前記側板とが対面するように配置される上記（１）ないし（８）のいずれか記載のプランターセット。
【００１６】
（１０）  前記第３のプランターの平面視での形状は、前記後板または一方の前記側板が斜辺となる直角三角形である上記（９）に記載のプランターセット。
【００１７】
（１１）  前記第３のプランターの前記土止め板の平面視での形状は、直線状であり、該土止め板は、前記後板と平行に配置されている上記（１０）に記載のプランターセット。
【００１８】
（１２）  前記第３のプランターの平面視での形状は、前記後板または一方の前記側板が円弧状をなす扇形である上記（９）に記載のプランターセット。
【００１９】
（１３）  前記扇形の中心角は、９０°である上記（１２）に記載のプランターセット。
【００２０】
（１４）  前記第３のプランターの前記土止め板の平面視での形状は、前記扇形の円弧と同一の曲率を有する円弧状である上記（１２）または（１３）に記載のプランターセット。
【００２１】
（１５）  当該プランターセットを使用する際は、前記第１のプランターと、前記第２のプランターと、前記第３のプランターとのうちから少なくとも２つを組み合わせて使用する上記（９）ないし（１４）のいずれかに記載のプランターセット。
【００２２】
（１６）  前記第２のプランターには、平面視で、前記１対の側板のなす角が９０°である第１のタイプと、前記前板と前記側板とのなす角が９０°である第２のタイプとが含まれ、
前記第３のプランターには、平面視で、前記１対の側板のなす角が９０°である第１のタイプと、前記後板と前記側板とのなす角が９０°である第２のタイプとが含まれ、
当該プランターセットを使用する際は、前記第１のプランターと、前記第１のタイプの前記第２のプランターと、前記第２のタイプの前記第２のプランターと、前記第１のタイプの前記第３のプランターと、前記第２のタイプの前記第３のプランターとのうちから少なくとも２つを組み合わせて使用する上記（９）ないし（１４）のいずれかに記載のプランターセット。
【００２３】
（１７）  前方に配置された前板と、
後方に配置され、前記前板の頂部よりも高い頂部を有する後板と、
側方に配置された１対の側板と、
底に配置された底板と、
前記前板と前記後板との間に配置され、前記前板の頂部よりも高く、前記後板の頂部よりも低い頂部を有し、収容される栽培土をせき止める少なくとも１つの土止め板とを備える第１のプランターと、
後方に配置された後板と、
側方に配置され、前方で連結された１対の側板と、
底に配置された底板と、
前記後板よりも前方に配置され、前記後板の頂部よりも低い頂部を有し、収容される栽培土をせき止める少なくとも１つの土止め板とを備える第３のプランターとを有し、
前記第１のプランターと前記第３のプランターとを使用する際は、前記第１のプランターの前記側板と前記第３のプランターの前記側板とが対面するように、前記第１のプランターと前記第３のプランターとが配置されることを特徴とするプランターセット。
【００２４】
（１８）  前記第１のプランターの平面視での形状は、長方形である上記（１７）に記載のプランターセット。
【００２５】
（１９）  前記第１のプランターの前記土止め板の平面視での形状は、直線状であり、該土止め板は、前記前板および前記後板と平行に配置されている上記（１８）に記載のプランターセット。
【００２６】
（２０）  前記第３のプランターの平面視での形状は、前記後板または一方の前記側板が斜辺となる直角三角形である上記（１７）ないし（１９）のいずれかに記載のプランターセット。
【００２７】
（２１）  前記第３のプランターの前記土止め板の平面視での形状は、直線状であり、該土止め板は、前記後板と平行に配置されている上記（２０）に記載のプランターセット。
【００２８】
（２２）  前記第３のプランターの平面視での形状は、前記後板または一方の前記側板が円弧状をなす扇形である上記（１７）ないし（１９）のいずれかに記載のプランターセット。
【００２９】
（２３）  前記扇形の中心角は、９０°である上記（２２）に記載のプランターセット。
【００３０】
（２４）  前記第３のプランターの前記土止め板の平面視での形状は、前記扇形の円弧と同一の曲率を有する円弧状である上記（２２）または（２３）に記載のプランターセット。
【００３１】
（２５）  ２つの前記プランターの前記対面した側板同士を連結する連結部材を有する上記（１）ないし（２４）のいずれかに記載のプランターセット。
【００３２】
前記前板には、複数の開口が形成されていることが好ましい。
前記後板には、複数の開口が形成されていることが好ましい。
【００３３】
前記土止め板には、複数の開口が形成されていることが好ましい。
前記土止め板は、着脱自在であることが好ましい。
【００３４】
前記土止め板は、異なる形状のものに交換可能であることが好ましい。
前記土止め板の下部は、前記底板に到達していないことが好ましい。
【００３５】
前記土止め板の下部は、前記底板に到達していることが好ましい。
前記側板は、その高さが、前方から後方に向って漸増している部分を有することが好ましい。
前方と後方との栽培土の量の差を低減する土量差低減手段を有することが好ましい。
【００３６】
前記第１のプランターは、第１の土止め板と、該第１の土止め板よりも後方に配置された第２の土止め板とを含む複数の前記土止め板を有し、該各土止め板は、前後方向に沿って並設されており、
前記第１のプランターの前記第２の土止め板の頂部の高さは、前記第１のプランターの前記第１の土止め板の頂部の高さよりも高いことが好ましい。
【００３７】
前記第２のプランターは、第１の土止め板と、該第１の土止め板よりも後方に配置された第２の土止め板とを含む複数の前記土止め板を有し、該各土止め板は、前後方向に沿って並設されており、
前記第２のプランターの前記第２の土止め板の頂部の高さは、前記第２のプランターの前記第１の土止め板の頂部の高さよりも高いことが好ましい。
【００３８】
前記第３のプランターは、第１の土止め板と、該第１の土止め板よりも後方に配置された第２の土止め板とを含む複数の前記土止め板を有し、該各土止め板は、前後方向に沿って並設されており、
前記第３のプランターの前記第２の土止め板の頂部の高さは、前記第３のプランターの前記第１の土止め板の頂部の高さよりも高いことが好ましい。
【００３９】
前記第１のプランターは、第１の土止め板と、該第１の土止め板よりも後方に配置された第２の土止め板とを含む複数の前記土止め板を有し、該各土止め板は、前後方向に沿って並設されており、
前記第１のプランターの前記第１の土止め板の頂部の高さは、前記第１のプランターの前記第２の土止め板の下部の高さよりも高いことが好ましい。
【００４０】
前記第２のプランターは、第１の土止め板と、該第１の土止め板よりも後方に配置された第２の土止め板とを含む複数の前記土止め板を有し、該各土止め板は、前後方向に沿って並設されており、
前記第２のプランターの前記第１の土止め板の頂部の高さは、前記第２のプランターの前記第２の土止め板の下部の高さよりも高いことが好ましい。
【００４１】
前記第３のプランターは、第１の土止め板と、該第１の土止め板よりも後方に配置された第２の土止め板とを含む複数の前記土止め板を有し、該各土止め板は、前後方向に沿って並設されており、
前記第３のプランターの前記第１の土止め板の頂部の高さは、前記第３のプランターの前記第２の土止め板の下部の高さよりも高いことが好ましい。
【００４２】
前記第１のプランターは、１つまたは複数の前記土止め板を有し、該各土止め板は、前後方向に沿って並設されており、
前記第１のプランターの前記前板の頂部の高さは、該前板に最も近い前記第１のプランターの前記土止め板の下部の高さよりも高いことが好ましい。
【００４３】
前記第２のプランターは、１つまたは複数の前記土止め板を有し、該各土止め板は、前後方向に沿って並設されており、
前記第２のプランターの前記前板の頂部の高さは、該前板に最も近い前記第２のプランターの前記土止め板の下部の高さよりも高いことが好ましい。
【発明の効果】
【００４４】
本発明によれば、土止め板により、プランター内に収容された栽培土をせき止めることができるので、その栽培土に、容易かつ確実に法面を形成することができ、また、形成された法面を確実に維持することができる。
【００４５】
また、複数のプランター、特に、形状の異なる複数のプランターを組み合わせることで、全体形状を種々の形状にすることができ、如何なる形状にも対応することができる。
【図面の簡単な説明】
【００４６】
【図１】本発明のプランターセットの実施形態を示す平面図である。
【図２】本発明のプランターセットの実施形態におけるプランターを示す斜視図である。
【図３】図２に示すプランターの断面側面図である。
【図４】図２に示すプランターの断面側面図である。
【図５】本発明のプランターセットの実施形態における他のプランターを示す平面図である。
【図６】本発明のプランターセットの実施形態における他のプランターを示す平面図である。
【図７】本発明のプランターセットの実施形態における他のプランターを示す平面図である。
【図８】本発明のプランターセットの実施形態における他のプランターを示す平面図である。
【図９】本発明のプランターセットの実施形態における他のプランターを示す平面図である。
【図１０】本発明のプランターセットの実施形態における他のプランターを示す平面図である。
【図１１】本発明のプランターセットの実施形態における他のプランターを示す平面図である。
【図１２】本発明のプランターセットの実施形態における他のプランターを示す平面図である。
【図１３】本発明のプランターセットの実施形態における他のプランターを示す平面図である。
【図１４】本発明のプランターセットの実施形態における他のプランターを示す平面図である。
【図１５】本発明のプランターセットの実施形態における他のプランターを示す平面図である。
【図１６】本発明のプランターセットの実施形態における他のプランターを示す平面図である。
【図１７】本発明のプランターセットの実施形態における他のプランターを示す平面図である。
【図１８】本発明のプランターセットの実施形態における他のプランターを示す平面図である。
【図１９】本発明のプランターセットの実施形態における他のプランターを示す平面図である。
【図２０】本発明のプランターセットの実施形態における他のプランターを示す平面図である。
【図２１】本発明のプランターセットの実施形態における他のプランターを示す平面図である。
【図２２】本発明のプランターセットの実施形態における他のプランターを示す平面図である。
【図２３】本発明のプランターセットの実施形態における他のプランターを示す平面図である。
【図２４】本発明のプランターセットの実施形態における他のプランターを示す平面図である。
【図２５】本発明のプランターセットの実施形態における他のプランターを示す平面図である。
【図２６】本発明のプランターセットの実施形態における他のプランターを示す平面図である。
【図２７】本発明のプランターセットの実施形態における他のプランターを示す平面図である。
【図２８】本発明のプランターセットの実施形態における他のプランターを示す平面図である。
【図２９】本発明のプランターセットの実施形態における他のプランターを示す平面図である。
【図３０】本発明のプランターセットの実施形態における他のプランターを示す平面図である。
【図３１】本発明のプランターセットの実施形態における他のプランターを示す平面図である。
【図３２】本発明のプランターセットの実施形態における他のプランターを示す平面図である。
【図３３】本発明のプランターセットの実施形態における他のプランターを示す平面図である。
【図３４】本発明のプランターセットの実施形態における他のプランターを示す平面図である。
【図３５】本発明のプランターセットの実施形態における使用例を示す斜視図である。
【図３６】本発明のプランターセットの実施形態における連結部材を示す平面図である。
【図３７】図３６中のＡ−Ａ線での断面図である。
【図３８】本発明のプランターセットの実施形態における他の使用例を示す平面図である。
【図３９】本発明のプランターセットの実施形態における他の使用例を示す平面図である。
【図４０】本発明のプランターセットの実施形態における他の使用例を示す平面図である。
【図４１】本発明のプランターセットの実施形態における他の使用例を示す平面図である。
【図４２】本発明のプランターセットの実施形態における他の使用例を示す平面図である。
【図４３】本発明のプランターセットの実施形態における他の使用例を示す平面図である。
【図４４】本発明のプランターセットの実施形態における他の使用例を示す平面図である。
【図４５】本発明のプランターセットの実施形態における他の使用例を示す平面図である。
【図４６】本発明のプランターセットの実施形態におけるプランターの第２実施形態を示す断面側面図である。
【図４７】本発明のプランターセットの実施形態におけるプランターの第３実施形態を示す断面側面図である。
【図４８】本発明のプランターセットの実施形態におけるプランターの第４実施形態を示す断面側面図である。
【図４９】本発明のプランターセットの実施形態におけるプランターの第５実施形態を示す断面側面図である。
【図５０】図４９に示すプランターの溝の近傍を拡大して示す斜視図である。
【図５１】本発明のプランターセットの実施形態におけるプランターの第６実施形態を示す平面図である。
【図５２】図５１に示すプランターの土止め板の側方の端部の近傍を拡大して示す平面図である。
【発明を実施するための形態】
【００４７】
以下、本発明のプランターセットを添付図面に示す好適な実施形態に基づいて詳細に説明する。
【００４８】
図１は、本発明のプランターセットの実施形態を示す平面図、図２は、本発明のプランターセットの実施形態におけるプランターを示す斜視図、図３および図４は、図２に示すプランターの断面側面図、図５〜図３４は、本発明のプランターセットの実施形態における他のプランターを示す平面図、図３５は、本発明のプランターセットの実施形態における使用例を示す斜視図、図３６は、本発明のプランターセットの実施形態における連結部材を示す平面図、図３７は、図３６中のＡ−Ａ線での断面図、図３８〜図４５は、本発明のプランターセットの実施形態における他の使用例を示す平面図である。図２および図３には、プランターで植物が栽培されている状態、図４には、プランターの空の状態が示されている。
【００４９】
なお、以下では、図３および図４中の上側を「上」、下側を「下」、左側を「前」、右側を「後」とし、また、図１、図５〜図３４中の上側を「後」、下側を「前」、左側を「左」、右側を「右」、また、図４５中の上側を「上」、下側を「下」、左側を「左」、右側を「右」として説明を行う。
【００５０】
また、図５〜図３５では、手掛けは、図示されておらず、また、図１、図３８〜図４５では、各プランターは、模式的に図示されている。
【００５１】
図１に示すように、プランターセット１０は、複数種類のプランター１を有している。本実施形態では、プランターセット１０は、３１種類のプランター１Ａ〜１Ｚ、１α〜１εをそれぞれ複数個ずつ有している。
【００５２】
まずは、各プランター１Ａ〜１εについて、説明する。なお、各プランターを総称する場合や区別する必要がない場合には、「プランター１」と言い、個々を区別して説明する場合には、「プランター１Ａ、１Ｂ、・・・、１ε」と言う。また、プランター１Ａから説明を行うが、プランター１Ｂ〜１εについては、プランター１Ａ等、先に説明を終えたプランター１との相違点を中心に説明し、同様の事項については、その説明を省略する。
【００５３】
＜プランター１Ａ（第１実施形態）＞
図２〜図４に示すように、プランター１Ａは、全体形状が上部に開口を有する箱状をなしており、前方に配置された前板５と、後方に配置された後板６と、互いに離間するように側方に配置された１対の側板（横板）３、４と、底（下方）に配置された底板７と、底板７の上方に配置された中板９と、プランター１Ａ内に収容される栽培土（土）をせき止める複数（図示の構成では３つ）の土止め板８とを有している。
【００５４】
側板３および４の前方の端部は、それぞれ、前板５の側方の端部に連結され、後方の端部は、それぞれ、後板６の側方の端部に連結されており、これにより、側板３および４を介して前板５と後板６とが連結されている。なお、前板５、後板６、側板３、４および中板９により、栽培土を収容（収納）する収容部（収納部）２が構成される。
【００５５】
プランター１Ａの形状は、平面視で（図３および図４中上側から見たとき）、長方形（正方形を含む）（四角形）をなしている。図示の構成では、その平面視での形状は、前後方向に長い長方形、すなわち、前板５および後板６を短辺とし、側板３および４を長辺とする長方形である。
【００５６】
ここで、プランター１の形態は、前板５や後板６の有無により、大別して、第１のプランター、第２のプランターおよび第３のプランターの３つの形態に分けることができる。第１のプランターは、前板５および後板６の両方を有しているものであり、また、第２のプランターは、前板５を有し、後板６を有していないものであり、また、第３のプランターは、後板６有し、前板５を有していないものである。
【００５７】
このプランター１Ａは、前板５および後板６の両方を有しているので、第１のプランターである。
【００５８】
前板５の頂部（上部）５１には、手掛け５５が形成され、また、後板６の頂部（上部）６１には、手掛け６５が形成されている。これにより、この手掛け５５および６５に手指を掛けて、プランター１Ａを持ち上げることができ、特に、植物を栽培している状態のプランター１Ａでも容易に移動させることができる。
【００５９】
後板６の頂部６１の高さは、前板５の頂部５１の高さよりも高く、各側板３、４の高さは、その後方の部位を除いて、前方から後方に向って漸増している。
【００６０】
各土止め板８は、前板５と後板６との間に配置され、前後方向に沿って、所定の間隔で並設されている。また、各土止め板８の平面視での形状は、直線状であり、各土止め板８は、前板５および後板６と平行に配置されている。また、各土止め板８の側方の両端部は、側板３、４まで到達しており、収容部２は、各土止め板８により、平面視で（図３および図４中上側から見たとき）、複数の領域（図示の構成では４つの領域）に仕切られている。
【００６１】
各土止め板８により、プランター１Ａ内に収容されてる栽培土をせき止めることができ、その栽培土の前方への流出を防止することができるとともに、土圧によるプランター１Ａの変形、特に側方への膨らみ（はらみ）を防止することができる。
【００６２】
この土止め板８の数は、特に限定されず、プランター１Ａの用途や寸法等の諸条件に応じて適宜設定されるものであり、１個でもよく、また、複数個でもよい。但し、土止め板８の数は、２個以上が好ましく、２〜３０個程度がより好ましく、３〜１０個程度がさらに好ましい。
【００６３】
また、隣り合う土止め板８の前後方向の間隔は、特に限定されず、プランター１Ａの用途や寸法等の諸条件に応じて適宜設定されるものであるが、例えば、１０〜１００ｃｍ程度が好ましく、１０〜２０ｃｍ程度がより好ましい。
【００６４】
なお、本実施例では、代表的に、土止め板８の数が３個の場合を説明する。また、図３および図４に示すように、土止め板８を、前方から後方に向って、順に、土止め板８ａ、８ｂ、８ｃと表記し、これらの土止め板を総称する場合には、「土止め板８」と言い、個々を区別して説明する場合には、「土止め板８ａ、土止め板８ｂ、土止め板８ｃ」と言う。
【００６５】
ここで、前板５に最も近い土止め板８ａの頂部８１の高さは、前板５の頂部５１の高さよりも高く、また、土止め板８ｂの頂部８１の高さは、土止め板８ａの頂部８１の高さよりも高く、また、土止め板８ｃの頂部８１の高さは、土止め板８ｂの頂部８１の高さよりも高く、また、後板６の頂部６１の高さは、土止め板８ｃの頂部８１の高さよりも高い。
【００６６】
これにより、容易かつ確実に、プランター１Ａ内に収容された栽培土を後方から前方へ下るように傾斜させることができ、法面を形成することがで、また、形成された法面を確実に維持することができる。
【００６７】
また、各土止め板８ａ、８ｂ、８ｃの下部８２は、中板９に到達していない。これにより、各部の植物は、自由に根を張ることができる。
【００６８】
また、土止め板８ｂの頂部８１の高さは、土止め板８ｃの下部８２の高さよりも高く、また、土止め板８ａの頂部８１の高さは、土止め板８ｂの下部８２の高さよりも高く、また、前板５の頂部５１の高さは、土止め板８ａの下部８２の高さよりも高い。
【００６９】
これにより、より確実に、プランター１Ａ内に収容された栽培土の前方への流出を防止することができる。
【００７０】
また、土止め板８ｂの下部８２の高さは、土止め板８ａの下部８２の高さよりも高く、また、土止め板８ｃの下部８２の高さは、土止め板８ｂの下部８２の高さよりも高い。
【００７１】
なお、プランター１Ａの後方の部位では、栽培土の深さが深くなるので、そこには、例えば、根を深く張る、背の高い樹木等でも確実に植えることができる。
【００７２】
また、各土止め板８ｃ〜８ｃの下部８２は、それぞれ、例えば、球根、種、肥料等、栽培土中に埋められるもの（埋設対象物）について、その高さ方向の適正な位置（適正な深さ）を示すマーカー（目印）として機能するよう構成することができる。これにより、例えば、初心者でも、球根等を栽培土中の適正な深さに間違えることなく埋めることができる。
【００７３】
中板９は、下側に複数の脚部９２を有し、底板７上に載置されている。各脚部９２は、スペーサとしての機能を有し、各脚部９２により、中板９と底板７との間に、所定の空間（間隙）が形成される。
【００７４】
また、中板９には、複数の開口９１が形成されており、プランター１Ａ内に供給された水（液体）が、その開口９１を介して、底板７上に流出し得るようになっている。
【００７５】
底板７は、後方に、排出口７１を有している。また、底板７は、排出口７１の部位が、鉛直方向で最も下になるように、傾斜している。これにより、前記底板７上に流出した水は、排出口７１に向って流れ、その排出口７１から排出される。
【００７６】
前記各側板３、４、前板５、後板６、底板７、中板９および各土止め板８の構成材料としては、それぞれ、特に限定されず、例えば、各種の樹脂材料、木材、金属材料等を用いることができる。
【００７７】
また、プランター１Ａの寸法は、特に限定されず、その用途や諸条件に応じて適宜設定されるものであるが、例えば、前後方向（縦方向）の長さＬ１は、２０〜１２０ｃｍ程度が好ましく、また、横方向の長さＬ２は、１０〜１２０ｃｍ程度が好ましく、また、前方の鉛直方向の長さ（高さ）ｈ１は、１０〜１００ｃｍ程度が好ましく、また、後方の鉛直方向の長さ（高さ）ｈ２は、２０〜１５０ｃｍが好ましい。
【００７８】
このプランター１Ａによれば、土止め板８により、プランター１Ａ内に収容された栽培土をせき止めることができるので、その栽培土に、容易かつ確実に法面を形成することができ、また、形成された法面を確実に維持することができる。
【００７９】
以上説明したように、このプランター１Ａによれば、土止め板８により、プランター１Ａ内に収容された栽培土をせき止めることができるので、その栽培土に、容易かつ確実に法面を形成することができ、また、形成された法面を確実に維持することができる。これは、後述する各プランター１Ｂ〜１εも同様である。
【００８０】
そして、後述するように、複数のプランター１Ａを並べて用いたり、また、プランター１Ａ〜１εのうちから２以上を組み合わせることで、全体形状を種々の形状にすることができ、如何なる形状にも対応することができる。
【００８１】
なお、本発明では、後板６の頂部６１の高さと、土止め板８ｃの頂部８１の高さとが等しくてもよい。
【００８２】
また、本発明では、隣り合う２つの土止め板８の頂部８１の高さが互いに等しくてもよい。
【００８３】
また、本発明では、中板９が省略されていてもよい。この場合は、前板５、後板６、側板３、４および底板７により、収容部２が構成される。
【００８４】
そして、中板９が省略されている場合は、例えば、底板７に、複数の開口が形成され、その開口から直接、水が排出される。
【００８５】
また、中板９が省略されている場合は、例えば、各土止め板８の下部８２が底板７に到達しないように構成する。
【００８６】
＜プランター１Ｂ＞
以下、プランター１Ｂについて説明するが、前述したプランター１Ａとの相違点を中心に説明し、同様の事項については、その説明を省略する。
【００８７】
図５に示すように、プランター１Ｂは、前板５と、１対の側板３、４と、底板７と、中板９と、３つの土止め板８ａ〜８ｃとを有している。側板３と側板４とは、互いの後方の端部同士が連結されており（後方で連結されており）、側板３および４の前方の端部は、それぞれ、前板５の側方の端部に連結されている。このプランター１Ｂは、第２のプランターである。
【００８８】
プランター１Ｂの形状は、平面視で、直角二等辺三角形（三角形）をなしている。図示の構成では、その平面視での形状は、前板５が斜辺となり、側板３と側板４とのなす角θ１が９０°（直角）の直角二等辺三角形である。
【００８９】
ここで、第２のプランターのうち、平面視で、側板３、４、前板５のうちの所定の２つの板のなす角が９０°である（直角の部分を有する）プランターは、大別して、第１のタイプおよび第２のタイプの２つに分けることができる。
【００９０】
第１のタイプは、平面視で、１対の側板３、４のなす角θ１が９０°のものであり、また、第２のタイプは、平面視で、前板５と側板３とのなす角θ２または前板５と側板４とのなす角θ３が９０°のものである。
【００９１】
したがって、プランター１Ｂは、第１のタイプ、すなわち、第１のタイプの第２のプランターである。
【００９２】
また、側板３および４の上部には、それぞれ、図示しない手掛けが形成されている。これは、後述するプランター１Ｃ〜１εでも同様である。
【００９３】
＜プランター１Ｃ＞
以下、プランター１Ｃについて説明するが、前述したプランター１Ｂとの相違点を中心に説明し、同様の事項については、その説明を省略する。
【００９４】
図６に示すように、プランター１Ｃは、前板５と、１対の側板３、４と、底板７と、中板９と、３つの土止め板８ａ〜８ｃとを有している。
【００９５】
プランター１Ｃの形状は、平面視で、直角三角形（三角形）をなしている。図示の構成では、その平面視での形状は、右側に位置する側板４よりも左側に位置する側板３の長さの方が長く、前板５が斜辺となり、側板３と側板４とのなす角θ１が９０°（直角）の直角三角形である。したがって、プランター１Ｃは、第１のタイプの第２のプランターである。
【００９６】
＜プランター１Ｄ＞
以下、プランター１Ｄについて説明するが、前述したプランター１Ｃとの相違点を中心に説明し、同様の事項については、その説明を省略する。
【００９７】
図７に示すように、プランター１Ｄは、前板５と、１対の側板３、４と、底板７と、中板９と、３つの土止め板８ａ〜８ｃとを有している。
【００９８】
プランター１Ｄの形状は、平面視で、直角三角形（三角形）をなしている。図示の構成では、その平面視での形状は、左側に位置する側板３よりも右側に位置する側板４の長さの方が長く、前板５が斜辺となり、側板３と側板４とのなす角θ１が９０°（直角）の直角三角形である。したがって、プランター１Ｄは、第１のタイプの第２のプランターである。
【００９９】
＜プランター１Ｅ＞
以下、プランター１Ｅについて説明するが、前述したプランター１Ｂとの相違点を中心に説明し、同様の事項については、その説明を省略する。
【０１００】
図８に示すように、プランター１Ｅは、前板５と、１対の側板３、４と、底板７と、中板９と、２つの土止め板８ａおよび８ｂとを有している。
【０１０１】
プランター１Ｅの形状は、平面視で、前板５が円弧状をなす扇形をなしている。図示の構成では、その扇形の中心角、すなわち、側板３と側板４とのなす角θ１は、９０°である。したがって、プランター１Ｅは、第１のタイプの第２のプランターである。
【０１０２】
＜プランター１Ｆ＞
以下、プランター１Ｆについて説明するが、前述したプランター１Ｅとの相違点を中心に説明し、同様の事項については、その説明を省略する。
【０１０３】
図９に示すように、プランター１Ｆは、前板５と、１対の側板３、４と、底板７と、中板９と、３つの土止め板８ａ〜８ｃとを有している。
【０１０４】
プランター１Ｆの形状は、平面視で、前板５が円弧状をなす扇形をなしている。図示の構成では、その扇形の中心角、すなわち、側板３と側板４とのなす角θ１は、４５°である。また、前板５の平面視での形状は、円弧状であるので、前板５と側板３とのなす角θ２と、前板５と側板４とのなす角θ３のいずれも９０°ではない（９０°とは言えない）。したがって、プランター１Ｆは、第１のタイプおよび第２のタイプのいずれにも属さない第２のプランターである。
【０１０５】
＜プランター１Ｇ＞
以下、プランター１Ｇについて説明するが、前述したプランター１Ｅとの相違点を中心に説明し、同様の事項については、その説明を省略する。
【０１０６】
図１０に示すように、プランター１Ｇは、前板５と、１対の側板３、４と、底板７と、中板９と、３つの土止め板８ａ〜８ｃとを有している。
【０１０７】
プランター１Ｇの形状は、平面視で、前板５が円弧状をなす扇形をなしている。図示の構成では、その扇形の中心角、すなわち、側板３と側板４とのなす角θ１は、９０°である。したがって、プランター１Ｇは、第１のタイプの第２のプランターである。
【０１０８】
また、各土止め板８ａ〜８ｃの平面視での形状は、円弧状をなしている。図示の構成では、その円弧の曲率は、前板５の円弧の曲率と同一である。
【０１０９】
＜プランター１Ｈ＞
以下、プランター１Ｈについて説明するが、前述したプランター１Ｇとの相違点を中心に説明し、同様の事項については、その説明を省略する。
【０１１０】
図１１に示すように、プランター１Ｈは、前板５と、１対の側板３、４と、底板７と、中板９と、３つの土止め板８ａ〜８ｃとを有している。
【０１１１】
プランター１Ｈの形状は、平面視で、前板５が円弧状をなす扇形をなしている。図示の構成では、その扇形の中心角、すなわち、側板３と側板４とのなす角θ１は、４５°である。また、前板５の平面視での形状は、円弧状であるので、前板５と側板３とのなす角θ２と、前板５と側板４とのなす角θ３のいずれも９０°ではない。したがって、プランター１Ｈは、第１のタイプおよび第２のタイプのいずれにも属さない第２のプランターである。
【０１１２】
＜プランター１Ｉ＞
以下、プランター１Ｉについて説明するが、前述したプランター１Ｂとの相違点を中心に説明し、同様の事項については、その説明を省略する。
【０１１３】
図１２に示すように、プランター１Ｉは、前板５と、１対の側板３、４と、底板７と、中板９と、３つの土止め板８ａ〜８ｃとを有している。
【０１１４】
プランター１Ｉの形状は、平面視で、直角二等辺三角形（三角形）をなしている。図示の構成では、その平面視での形状は、左側に位置する側板３が斜辺となり、前板５と右側に位置する側板４とのなす角θ３が９０°（直角）の直角二等辺三角形である。したがって、プランター１Ｉは、第２のタイプの第２のプランターである。
【０１１５】
＜プランター１Ｊ＞
以下、プランター１Ｊについて説明するが、前述したプランター１Ｉとの相違点を中心に説明し、同様の事項については、その説明を省略する。
【０１１６】
図１３に示すように、プランター１Ｊは、前板５と、１対の側板３、４と、底板７と、中板９と、３つの土止め板８ａ〜８ｃとを有している。
【０１１７】
プランター１Ｊの形状は、平面視で、直角三角形（三角形）をなしている。図示の構成では、その平面視での形状は、前板５よりも右側に位置する側板４の長さの方が長く、左側に位置する側板３が斜辺となり、前板５と右側に位置する側板４とのなす角θ３が９０°（直角）の直角三角形である。したがって、プランター１Ｉは、第２のタイプの第２のプランターである。
【０１１８】
なお、側板４よりも前板５の長さの方が長くてもよい。また、プランターセット１０は、前板５よりも側板４の長さの方が長いものと、側板４よりも前板５の長さの方が長いものとの両方を有していてもよい。
【０１１９】
＜プランター１Ｋ＞
以下、プランター１Ｋについて説明するが、前述したプランター１Ｉとの相違点を中心に説明し、同様の事項については、その説明を省略する。
【０１２０】
図１４に示すように、プランター１Ｋは、前板５と、１対の側板３、４と、底板７と、中板９と、３つの土止め板８ａ〜８ｃとを有している。
【０１２１】
プランター１Ｋの形状は、平面視で、直角二等辺三角形（三角形）をなしている。図示の構成では、その平面視での形状は、右側に位置する側板４が斜辺となり、前板５と左側に位置する側板３とのなす角θ２が９０°（直角）の直角二等辺三角形である。したがって、プランター１Ｋは、第２のタイプの第２のプランターである。
【０１２２】
＜プランター１Ｌ＞
以下、プランター１Ｌについて説明するが、前述したプランター１Ｋとの相違点を中心に説明し、同様の事項については、その説明を省略する。
【０１２３】
図１５に示すように、プランター１Ｌは、前板５と、１対の側板３、４と、底板７と、中板９と、３つの土止め板８ａ〜８ｃとを有している。
【０１２４】
プランター１Ｌの形状は、平面視で、直角三角形（三角形）をなしている。図示の構成では、その平面視での形状は、前板５よりも左側に位置する側板３の長さの方が長く、右側に位置する側板４が斜辺となり、前板５と左側に位置する側板３とのなす角θ２が９０°（直角）の直角三角形である。したがって、プランター１Ｌは、第２のタイプの第２のプランターである。
【０１２５】
なお、側板３よりも前板５の長さの方が長くてもよい。また、プランターセット１０は、前板５よりも側板３の長さの方が長いものと、側板３よりも前板５の長さの方が長いものとの両方を有していてもよい。
【０１２６】
＜プランター１Ｍ＞
以下、プランター１Ｍについて説明するが、前述したプランター１Ｇとの相違点を中心に説明し、同様の事項については、その説明を省略する。
【０１２７】
図１６に示すように、プランター１Ｍは、前板５と、１対の側板３、４と、底板７と、中板９と、３つの土止め板８ａ〜８ｃとを有している。
【０１２８】
プランター１Ｍの形状は、平面視で、左側に位置する側板３が円弧状をなす扇形をなしている。図示の構成では、その扇形の中心角、すなわち、前板５と右側に位置する側板４とのなす角θ３は、９０°である。したがって、プランター１Ｍは、第２のタイプの第２のプランターである。
【０１２９】
また、各土止め板８ａ〜８ｃの平面視での形状は、直線状であり、各土止め板８ａ〜８ｃは、前板５と平行に配置されている。
【０１３０】
＜プランター１Ｎ＞
以下、プランター１Ｎについて説明するが、前述したプランター１Ｍとの相違点を中心に説明し、同様の事項については、その説明を省略する。
【０１３１】
図１７に示すように、プランター１Ｎは、前板５と、１対の側板３、４と、底板７と、中板９と、３つの土止め板８ａ〜８ｃとを有している。
【０１３２】
プランター１Ｎの形状は、平面視で、左側に位置する側板３が円弧状をなす扇形をなしている。図示の構成では、その扇形の中心角、すなわち、前板５と右側に位置する側板４とのなす角θ３は、４５°である。また、側板３の平面視での形状は、円弧状であるので、側板３と側板４とのなす角θ１と、前板５と側板３とのなす角θ２のいずれも９０°ではない。したがって、プランター１Ｎは、第１のタイプおよび第２のタイプのいずれにも属さない第２のプランターである。
【０１３３】
＜プランター１Ｏ＞
以下、プランター１Ｏについて説明するが、前述したプランター１Ｍとの相違点を中心に説明し、同様の事項については、その説明を省略する。
【０１３４】
図１８に示すように、プランター１Ｏは、前板５と、１対の側板３、４と、底板７と、中板９と、３つの土止め板８ａ〜８ｃとを有している。
【０１３５】
プランター１Ｏの形状は、平面視で、右側に位置する側板４が円弧状をなす扇形をなしている。図示の構成では、その扇形の中心角、すなわち、前板５と左側に位置する側板３とのなす角θ２は、９０°である。したがって、プランター１Ｏは、第２のタイプの第２のプランターである。
【０１３６】
＜プランター１Ｐ＞
以下、プランター１Ｐについて説明するが、前述したプランター１Ｏとの相違点を中心に説明し、同様の事項については、その説明を省略する。
【０１３７】
図１９に示すように、プランター１Ｐは、前板５と、１対の側板３、４と、底板７と、中板９と、３つの土止め板８ａ〜８ｃとを有している。
【０１３８】
プランター１Ｐの形状は、平面視で、右側に位置する側板４が円弧状をなす扇形をなしている。図示の構成では、その扇形の中心角、すなわち、前板５と左側に位置する側板３とのなす角θ２は、４５°である。また、側板４の平面視での形状は、円弧状であるので、側板３と側板４とのなす角θ１と、前板５と側板３とのなす角θ２のいずれも９０°ではない。したがって、プランター１Ｐは、第１のタイプおよび第２のタイプのいずれにも属さない第２のプランターである。
【０１３９】
＜プランター１Ｑ＞
以下、プランター１Ｑについて説明するが、前述したプランター１Ａとの相違点を中心に説明し、同様の事項については、その説明を省略する。
【０１４０】
図２０に示すように、プランター１Ｂは、後板６と、１対の側板３、４と、底板７と、中板９と、３つの土止め板８ａ〜８ｃとを有している。側板３と側板４とは、互いの前方の端部同士が連結されており（前方で連結されており）、側板３および４の後方の端部は、それぞれ、後板６の側方の端部に連結されている。このプランター１Ｑは、第３のプランターである。
【０１４１】
プランター１Ｑの形状は、平面視で、直角二等辺三角形（三角形）をなしている。図示の構成では、その平面視での形状は、後板６が斜辺となり、側板３と側板４とのなす角θ４が９０°（直角）の直角二等辺三角形である。
【０１４２】
ここで、第３のプランターのうち、平面視で、側板３、４、後板６のうちの所定の２つの板のなす角が９０°である（直角の部分を有する）プランターは、大別して、第１のタイプおよび第２のタイプの２つに分けることができる。
【０１４３】
第１のタイプは、平面視で、１対の側板３、４のなす角θ１が９０°のものであり、また、第２のタイプは、平面視で、後板６と側板３とのなす角θ５または後板６と側板４とのなす角θ６が９０°のものである。
【０１４４】
したがって、プランター１Ｑは、第１のタイプ、すなわち、第１のタイプの第３のプランターである。
【０１４５】
＜プランター１Ｒ＞
以下、プランター１Ｒについて説明するが、前述したプランター１Ｑとの相違点を中心に説明し、同様の事項については、その説明を省略する。
【０１４６】
図２１に示すように、プランター１Ｒは、後板６と、１対の側板３、４と、底板７と、中板９と、３つの土止め板８ａ〜８ｃとを有している。
【０１４７】
プランター１Ｒの形状は、平面視で、直角三角形（三角形）をなしている。図示の構成では、その平面視での形状は、左側に位置する側板３よりも右側に位置する側板４の長さの方が長く、後板６が斜辺となり、側板３と側板４とのなす角θ４が９０°（直角）の直角三角形である。したがって、プランター１Ｒは、第１のタイプの第３のプランターである。
【０１４８】
＜プランター１Ｓ＞
以下、プランター１Ｓについて説明するが、前述したプランター１Ｒとの相違点を中心に説明し、同様の事項については、その説明を省略する。
【０１４９】
図２２に示すように、プランター１Ｓは、後板６と、１対の側板３、４と、底板７と、中板９と、３つの土止め板８ａ〜８ｃとを有している。
【０１５０】
プランター１Ｓの形状は、平面視で、直角三角形（三角形）をなしている。図示の構成では、その平面視での形状は、右側に位置する側板４よりも左側に位置する側板３の長さの方が長く、後板６が斜辺となり、側板３と側板４とのなす角θ４が９０°（直角）の直角三角形である。したがって、プランター１Ｓは、第１のタイプの第３のプランターである。
【０１５１】
＜プランター１Ｔ＞
以下、プランター１Ｔについて説明するが、前述したプランター１Ｑとの相違点を中心に説明し、同様の事項については、その説明を省略する。
【０１５２】
図２３に示すように、プランター１Ｔは、後板６と、１対の側板３、４と、底板７と、中板９と、２つの土止め板８ａおよび８ｂとを有している。
【０１５３】
プランター１Ｔの形状は、平面視で、後板６が円弧状をなす扇形をなしている。図示の構成では、その扇形の中心角、すなわち、側板３と側板４とのなす角θ４は、９０°である。したがって、プランター１Ｔは、第１のタイプの第３のプランターである。
【０１５４】
＜プランター１Ｕ＞
以下、プランター１Ｕについて説明するが、前述したプランター１Ｔとの相違点を中心に説明し、同様の事項については、その説明を省略する。
【０１５５】
図２４に示すように、プランター１Ｕは、後板６と、１対の側板３、４と、底板７と、中板９と、３つの土止め板８ａ〜８ｃとを有している。
【０１５６】
プランター１Ｕの形状は、平面視で、後板６が円弧状をなす扇形をなしている。図示の構成では、その扇形の中心角、すなわち、側板３と側板４とのなす角θ４は、４５°である。また、後板６の平面視での形状は、円弧状であるので、前板５と側板３とのなす角θ５と、前板５と側板４とのなす角θ６のいずれも９０°ではない（９０°とは言えない）。したがって、プランター１Ｕは、第１のタイプおよび第２のタイプのいずれにも属さない第３のプランターである。
【０１５７】
＜プランター１Ｖ＞
以下、プランター１Ｖについて説明するが、前述したプランター１Ｔとの相違点を中心に説明し、同様の事項については、その説明を省略する。
【０１５８】
図２５に示すように、プランター１Ｖは、後板６と、１対の側板３、４と、底板７と、中板９と、３つの土止め板８ａ〜８ｃとを有している。
【０１５９】
プランター１Ｖの形状は、平面視で、後板６が円弧状をなす扇形をなしている。図示の構成では、その扇形の中心角、すなわち、側板３と側板４とのなす角θ４は、９０°である。したがって、プランター１Ｖは、第１のタイプの第３のプランターである。
【０１６０】
また、各土止め板８ａ〜８ｃの平面視での形状は、円弧状をなしている。図示の構成では、その円弧の曲率は、後板６の円弧の曲率と同一である。
【０１６１】
＜プランター１Ｗ＞
以下、プランター１Ｗについて説明するが、前述したプランター１Ｖとの相違点を中心に説明し、同様の事項については、その説明を省略する。
【０１６２】
図２６に示すように、プランター１Ｗは、後板６と、１対の側板３、４と、底板７と、中板９と、３つの土止め板８ａ〜８ｃとを有している。
【０１６３】
プランター１Ｗの形状は、平面視で、後板６が円弧状をなす扇形をなしている。図示の構成では、その扇形の中心角、すなわち、側板３と側板４とのなす角θ４は、４５°である。また、後板６の平面視での形状は、円弧状であるので、後板６と側板３とのなす角θ５と、後板６と側板４とのなす角θ６のいずれも９０°ではない。したがって、プランター１Ｗは、第１のタイプおよび第２のタイプのいずれにも属さない第３のプランターである。
【０１６４】
＜プランター１Ｘ＞
以下、プランター１Ｘについて説明するが、前述したプランター１Ｑとの相違点を中心に説明し、同様の事項については、その説明を省略する。
【０１６５】
図２７に示すように、プランター１Ｘは、後板６と、１対の側板３、４と、底板７と、中板９と、３つの土止め板８ａ〜８ｃとを有している。
【０１６６】
プランター１Ｘの形状は、平面視で、直角二等辺三角形（三角形）をなしている。図示の構成では、その平面視での形状は、右側に位置する側板４が斜辺となり、後板６と左側に位置する側板３とのなす角θ５が９０°（直角）の直角二等辺三角形である。したがって、プランター１Ｘは、第２のタイプの第３のプランターである。
【０１６７】
＜プランター１Ｙ＞
以下、プランター１Ｙについて説明するが、前述したプランター１Ｘとの相違点を中心に説明し、同様の事項については、その説明を省略する。
【０１６８】
図２８に示すように、プランター１Ｙは、後板６と、１対の側板３、４と、底板７と、中板９と、３つの土止め板８ａ〜８ｃとを有している。
【０１６９】
プランター１Ｙの形状は、平面視で、直角三角形（三角形）をなしている。図示の構成では、その平面視での形状は、後板６よりも左側に位置する側板３の長さの方が長く、右側に位置する側板４が斜辺となり、後板６と左側に位置する側板３とのなす角θ５が９０°（直角）の直角三角形である。したがって、プランター１Ｙは、第２のタイプの第３のプランターである。
【０１７０】
なお、側板３よりも後板６の長さの方が長くてもよい。また、プランターセット１０は、後板６よりも側板３の長さの方が長いものと、側板３よりも後板６の長さの方が長いものとの両方を有していてもよい。
【０１７１】
＜プランター１Ｚ＞
以下、プランター１Ｚについて説明するが、前述したプランター１Ｘとの相違点を中心に説明し、同様の事項については、その説明を省略する。
【０１７２】
図２９に示すように、プランター１Ｚは、後板６と、１対の側板３、４と、底板７と、中板９と、３つの土止め板８ａ〜８ｃとを有している。
【０１７３】
プランター１Ｚの形状は、平面視で、直角二等辺三角形（三角形）をなしている。図示の構成では、その平面視での形状は、左側に位置する側板３が斜辺となり、後板６と右側に位置する側板４とのなす角θ６が９０°（直角）の直角二等辺三角形である。したがって、プランター１Ｚは、第２のタイプの第３のプランターである。
【０１７４】
＜プランター１α＞
以下、プランター１αについて説明するが、前述したプランター１Ｚとの相違点を中心に説明し、同様の事項については、その説明を省略する。
【０１７５】
図３０に示すように、プランター１αは、後板６と、１対の側板３、４と、底板７と、中板９と、３つの土止め板８ａ〜８ｃとを有している。
【０１７６】
プランター１αの形状は、平面視で、直角三角形（三角形）をなしている。図示の構成では、その平面視での形状は、後板６よりも右側に位置する側板４の長さの方が長く、左側に位置する側板３が斜辺となり、後板６と右側に位置する側板４とのなす角θ６が９０°（直角）の直角三角形である。したがって、プランター１αは、第２のタイプの第３のプランターである。
【０１７７】
なお、側板４よりも後板６の長さの方が長くてもよい。また、プランターセット１０は、後板６よりも側板４の長さの方が長いものと、側板４よりも後板６の長さの方が長いものとの両方を有していてもよい。
【０１７８】
＜プランター１β＞
以下、プランター１βについて説明するが、前述したプランター１Ｖとの相違点を中心に説明し、同様の事項については、その説明を省略する。
【０１７９】
図３１に示すように、プランター１βは、後板６と、１対の側板３、４と、底板７と、中板９と、３つの土止め板８ａ〜８ｃとを有している。
【０１８０】
プランター１βの形状は、平面視で、右側に位置する側板４が円弧状をなす扇形をなしている。図示の構成では、その扇形の中心角、すなわち、後板６と左側に位置する側板３とのなす角θ５は、９０°である。したがって、プランター１βは、第２のタイプの第３のプランターである。
【０１８１】
また、各土止め板８ａ〜８ｃの平面視での形状は、直線状であり、各土止め板８ａ〜８ｃは、後板６と平行に配置されている。
【０１８２】
＜プランター１γ＞
以下、プランター１γについて説明するが、前述したプランター１βとの相違点を中心に説明し、同様の事項については、その説明を省略する。
【０１８３】
図３２に示すように、プランター１γは、後板６と、１対の側板３、４と、底板７と、中板９と、３つの土止め板８ａ〜８ｃとを有している。
【０１８４】
プランター１γの形状は、平面視で、右側に位置する側板４が円弧状をなす扇形をなしている。図示の構成では、その扇形の中心角、すなわち、後板６と左側に位置する側板３とのなす角θ５は、４５°である。また、側板４の平面視での形状は、円弧状であるので、側板３と側板４とのなす角θ４と、後板６と側板４とのなす角θ６のいずれも９０°ではない。したがって、プランター１γは、第１のタイプおよび第２のタイプのいずれにも属さない第３のプランターである。
【０１８５】
＜プランター１δ＞
以下、プランター１δについて説明するが、前述したプランター１βとの相違点を中心に説明し、同様の事項については、その説明を省略する。
【０１８６】
図３３に示すように、プランター１δは、後板６と、１対の側板３、４と、底板７と、中板９と、３つの土止め板８ａ〜８ｃとを有している。
【０１８７】
プランター１δの形状は、平面視で、左側に位置する側板３が円弧状をなす扇形をなしている。図示の構成では、その扇形の中心角、すなわち、後板６と右側に位置する側板４とのなす角θ６は、９０°である。したがって、プランター１δは、第２のタイプの第３のプランターである。
【０１８８】
＜プランター１ε＞
以下、プランター１εについて説明するが、前述したプランター１γとの相違点を中心に説明し、同様の事項については、その説明を省略する。
【０１８９】
図３４に示すように、プランター１εは、後板６と、１対の側板３、４と、底板７と、中板９と、３つの土止め板８ａ〜８ｃとを有している。
【０１９０】
プランター１εの形状は、平面視で、左側に位置する側板３が円弧状をなす扇形をなしている。図示の構成では、その扇形の中心角、すなわち、後板６と右側に位置する側板４とのなす角θ６は、４５°である。また、側板３の平面視での形状は、円弧状であるので、側板３と側板４とのなす角θ４と、後板６と側板３とのなす角θ５のいずれも９０°ではない。したがって、プランター１εは、第１のタイプおよび第２のタイプのいずれにも属さない第３のプランターである。
【０１９１】
ここで、このプランターセット１０では、前述した各プランター１Ａ〜1εをそれぞれ単独で用いることもできるが、プランター１Ａ〜1εのうちから複数個を組み合わせて使用することで、その全体を所望の大きさや形状にすることができる。なお、同一のものを複数個用いることもでき、また、異なるものを複数個用いることもできる。
【０１９２】
また、複数個のプランター１を組み合わせて使用する際は、各プランター１は、対応する側板同士が対面するように配置される。
【０１９３】
例えば、プランター１Ａ〜1εのうち、第１のプランターと第２のプランターとを使用する際は、第１のプランターの側板と第２のプランターの側板とが対面するように、その第１のプランターと第２のプランターとが配置される。
【０１９４】
そして、さらに、第３のプランターを使用する際は、第３のプランターは、その側板と、第１のプランターの側板または第２のプランターの側板とが対面するように配置される。
【０１９５】
また、プランター１Ａ〜1εのうち、第１のプランターと第３のプランターとを使用する際は、第１のプランターの側板と第３のプランターの側板とが対面するように、その第１のプランターと第３のプランターとが配置される。
【０１９６】
そして、さらに、第２のプランターを使用する際は、第２のプランターは、その側板と、第１のプランターの側板または第３のプランターの側板とが対面するように配置される。
【０１９７】
また、プランター１Ａ〜1εのうち、第２のプランターと第３のプランターとを使用する際は、第２のプランターの側板と第３のプランターの側板とが対面するように、その第２のプランターと第３のプランターとが配置される。
【０１９８】
そして、さらに、第１のプランターを使用する際は、第１のプランターは、その側板と、第２のプランターの側板または第３のプランターの側板とが対面するように配置される。
【０１９９】
なお、第１のプランターと第２のプランターと第３のプランターとを使用する際に、第１のプランターの側板と第２のプランターの側板とが対面し、第１のプランターの側板と第３のプランターの側板とが対面し、第２のプランターの側板と第３のプランターの側板とが対面するように、その第１のプランターと第２のプランターと第３のプランターとが配置されるようにしてもよい。
【０２００】
次に、図３５〜図４５に基づいて、プランターセット１０の各使用例を説明する。
＜第１使用例＞
図３５に示すように、この第１使用例では、プランター１Ａが複数個（図示の構成では５個）用いられ、各プランター１Ａは、隣り合うプランター１Ａ同士が互いに接触し、全体形状が平面視で正方形になるように、横方向（側方）に沿って並設されている。各プランター１Ａは、隣り合うプランター１Ａの側板３と側板４とが対面し、かつ接触するように配置され、連結部材１２により連結されている。
【０２０１】
図３６および図３７に示すように、連結部材１２は、コ字状をなしており、隣り合うプランター１Ａの側板３と側板４とに対し、図３７中上側から嵌合し、その側板３と側板４とを連結している。なお、連結部材１２は、隣り合うプランター１Ａの側板３および４の前方の端部および後方の端部にそれぞれ着脱自在に装着されている。
【０２０２】
これにより、図３５中の右上が最も高く、その右上から左下に向って傾斜する法面を形成することができる。
【０２０３】
＜第２使用例＞
以下、第２使用例について説明するが、前述した第１使用例との相違点を中心に説明し、同様の事項については、その説明を省略する。
【０２０４】
図３８に示すように、この第２使用例では、プランター１Ｂが複数個（図示の構成では４個）用いられ、各プランター１Ｂは、隣り合うプランター１Ｂ同士が互いに接触し、全体形状が平面視で正方形になるように配置されている。
【０２０５】
これにより、中央部が最も高く、その中央部から図３８中の上下左右のそれぞれの方向に向って傾斜する法面を形成することができる。
【０２０６】
＜第３使用例＞
以下、第３使用例について説明するが、前述した第１使用例との相違点を中心に説明し、同様の事項については、その説明を省略する。
【０２０７】
図３９に示すように、この第３使用例では、プランター１Ｇが複数個（図示の構成では４個）用いられ、各プランター１Ｇは、隣り合うプランター１Ｇ同士が互いに接触し、全体形状が平面視で円形になるように配置されている。
【０２０８】
これにより、中央部が最も高く、その中央部から外周側に向って均等に傾斜する法面を形成することができる。
【０２０９】
＜第４使用例＞
以下、第４使用例について説明するが、前述した第１使用例との相違点を中心に説明し、同様の事項については、その説明を省略する。
【０２１０】
図４０に示すように、この第４使用例では、プランター１Ｅが複数個（図示の構成では４個）用いられ、各プランター１Ｅは、隣り合うプランター１Ｅ同士が互いに接触し、全体形状が平面視で円形になるように配置されている。
【０２１１】
これにより、中央部が最も高く、その中央部から図４０中の左下、左上、右上、右下のそれぞれの方向に向って傾斜する法面を形成することができる。
【０２１２】
＜第５使用例＞
以下、第５使用例について説明するが、前述した第１使用例との相違点を中心に説明し、同様の事項については、その説明を省略する。
【０２１３】
図４１に示すように、この第５使用例では、プランター１Ｉとプランター１Ｘとが用いられ、プランター１Ｉおよび１Ｘは、互いに接触し、全体形状が平面視で正方形になるように配置されている。
【０２１４】
これにより、図４１中の上側が最も高く、図４１中の上側から下側に向って傾斜する法面を形成することができる。
【０２１５】
＜第６使用例＞
以下、第６使用例について説明するが、前述した第１使用例との相違点を中心に説明し、同様の事項については、その説明を省略する。
【０２１６】
図４２に示すように、この第６使用例では、プランター１Ａが複数個（図示の構成では８個）、プランター１Ｇが複数個（図示の構成では４個）用いられ、各プランター１Ａ、１Ｇは、隣り合うプランター１同士が互いに接触し、全体形状が平面視で図示のような形状になるように配置されている。
【０２１７】
なお、形成される法面は、土止め板８ｃから８ａに向って下るように傾斜するが、その詳細な説明は省略する（後述する第６〜第９使用例も同様）。
【０２１８】
＜第７使用例＞
以下、第７使用例について説明するが、前述した第１使用例との相違点を中心に説明し、同様の事項については、その説明を省略する。
【０２１９】
図４３に示すように、この第７使用例では、プランター１Ａが複数個（図示の構成では８個）、プランター１Ｂが複数個（図示の構成では４個）用いられ、各プランター１Ａ、１Ｂは、隣り合うプランター１同士が互いに接触し、全体形状が平面視で図示のような形状になるように配置されている。
【０２２０】
＜第８使用例＞
以下、第８使用例について説明するが、前述した第１使用例との相違点を中心に説明し、同様の事項については、その説明を省略する。
【０２２１】
図４４に示すように、この第８使用例では、プランター１Ａが複数個（図示の構成では８個）、プランター１Ｂが複数個（図示の構成では２個）、プランター１Ｇが複数個（図示の構成では２個）用いられ、各プランター１Ａ、１Ｂ、１Ｇは、隣り合うプランター１同士が互いに接触し、全体形状が平面視で図示のような形状になるように配置されている。
【０２２２】
＜第９使用例＞
以下、第９使用例について説明するが、前述した第１〜第８使用例との相違点を中心に説明し、同様の事項については、その説明を省略する。
【０２２３】
第９使用例は、プランターセット１０をビルディングの屋上を緑化するシステムとして用いた場合の構成例であり、そのプランターセット１０を用いて、中央部に障害物１４がある屋上に、屋上庭園を形成（構成）している。
【０２２４】
図４５に示すように、この第９使用例では、屋上の各部に、それぞれ、所定の１個または複数個のプランター１が設置されている。なお、前述したように、隣り合うプランター１は、互いに接触している。
【０２２５】
まず、左側には、プランター１βおよび１δが、壁１３１に接触し、全体形状が平面視で半円になるように配置されている。
【０２２６】
また、左上の入隅１３５には、プランター１Ｘおよび１Ｚが、壁１３１および１３２に接触し、全体形状が平面視で正方形になるように配置されている。また、壁１３１に沿って、３個のプランター１Ａが並設されており、そのうちの最も上側に位置するプランター１Ａは、プランター１Ｘの下側に配置されている。また、壁１３２に沿って、７個のプランター１Ａおよびプランター１Ｇが並設されている。プランター１Ｇは、これらのうち、最も右側に配置され、また、前記７個のプランターのうちの最も左側に位置するプランター１Ａは、プランター１Ｚの右側に配置されている。
【０２２７】
また、右上の入隅１３６には、プランター１Ｇが、壁１３２および１３３に接触するように配置されている。
【０２２８】
また、右下の入隅１３７には、２個のプランター１Ｑが、壁１３３および１３４に接触し、全体形状が平面視で直角二等辺三角形になるように配置されている。
【０２２９】
また、左下の入隅１３８には、プランター１Ｂが、壁１３１および１３４に接触するように配置されている。
【０２３０】
次に、中央部の障害物１４の近傍、すなわち、左上の出隅１４７には、３個のプランター１Ｇが、壁１４１および１４２に接触し、全体形状が平面視で中心角が２７０°の扇形になるように配置されている。
【０２３１】
また、右上の出隅１４８には、プランター１Ｇと２個のプランター１Ａとが、壁１４２および１４３に接触し、全体形状が平面視で図示の形状になるように配置されている。なお、各プランター１Ａは、プランター１Ｇの両側に配置されている。また、前記壁１４２に沿って配置されたプランター１Ａの左側には、プランター１Ａおよび１Ｇが、壁１４２に沿って、この順序で並設されている。また、前記壁１４３に沿って配置されたプランター１Ａの下側には、３個のプランター１Ａが、壁１４３に沿って、この順序で並設されている。
【０２３２】
また、右下の入隅１４０には、２個のプランター１Ｈが、壁１４４および１４５に接触し、全体形状が平面視で中心角が９０°の扇形になるように配置されている。なお、この２個のプランター１Ｈは、例えば、１個のプランター１Ｇで代用することもでき、また、逆に、前述した各プランター１Ｇを、それぞれ、２個のプランター１Ｈで代用することもできる。
【０２３３】
また、左下の出隅１４９には、２個のプランター１Ｇとプランター１Ｌとが、壁１４１および１４６に接触し、全体形状が平面視で図示の形状になるように配置されている。なお、各プランター１Ｇが左側に配置され、プランター１Ｌは、プランター１Ｇの右側に配置されている。
【０２３４】
なお、例えば、前述した第１〜第８使用例のうちのいずれか１つまたは複数を、屋上の空いている領域に設置することもできる。
【０２３５】
このように、第９使用例では、屋上の形状、すなわち、壁１３１〜１３４や、障害物１４の形状に応じて、容易に、その屋上を緑化することができる。
【０２３６】
以上説明したように、このプランターセット１０によれば、土止め板８により、プランター１内に収容された栽培土をせき止めることができるので、その栽培土に、容易かつ確実に法面を形成することができ、また、形成された法面を確実に維持することができる。
【０２３７】
そして、プランター１Ａ〜１εのうちから、形状が同一のものや異なるものを複数個選択し（組み合わせ）、それらを並べて用いることにより、全体形状を種々の形状にすることができ、如何なる形状にも対応することができる。
【０２３８】
次に、各プランター１Ａ〜１εの他の実施形態について説明するが、その特徴は各プランター１Ａ〜１εとも同様であるので、代表的に、プランター１Ａについて説明する。
【０２３９】
＜第２実施形態＞
図４６は、本発明のプランターセットの実施形態におけるプランターの第２実施形態を示す断面側面図である。
【０２４０】
なお、以下では、図４６中の上側を「上」、下側を「下」、左側を「前」、右側を「後」として説明を行う。
【０２４１】
以下、第２実施形態について、前述した第１実施形態との相違点を中心に説明し、同様の事項については、その説明を省略する。
【０２４２】
図４６に示すように、第２実施形態のプランター１Ａでは、前板５に、複数の開口５３が形成されている。同様に、後板６に、複数の開口６３が形成されている。
【０２４３】
これにより、土圧による影響をさらに減少させることができ、その土圧によるプランター１Ａの変形、特に側方への膨らみをより確実に防止することができる。
このプランター１Ａによれば、前述した第１実施形態と同様の効果が得られる。
【０２４４】
なお、本発明では、前板５の開口５３と後板の開口６３とのいずれか一方を省略してもよい。
【０２４５】
＜第３実施形態＞
図４７は、本発明のプランターセットの実施形態におけるプランターの第３実施形態を示す断面側面図である。
【０２４６】
なお、以下では、図４７中の上側を「上」、下側を「下」、左側を「前」、右側を「後」として説明を行う。
【０２４７】
以下、第３実施形態について、前述した第１実施形態との相違点を中心に説明し、同様の事項については、その説明を省略する。
【０２４８】
図４７に示すように、第３実施形態のプランター１Ａでは、各土止め板８ａ、８ｂ、８ｃの下部８２は、中板９に到達している。これにより、側板３、４、中板９、前板５および土止め板８ａにより、第１の領域１１１が画成され、また、側板３、４、中板９、土止め板８ａおよび８ｂにより、第２の領域１１２が画成され、また、側板３、４、中板９、土止め板８ｂおよび８ｃにより、第３の領域１１３が画成され、また、側板３、４、中板９、土止め板８ｃおよび後板６により、第４の領域１１４が画成され、これらがすべて分離される。
【０２４９】
これより、第１の領域１１１〜第４の領域１１４の植物は、それぞれ、他の領域に、その根を張ることができなくなり、芽を出すことができなくなる。これによって、各領域で栽培する植物を、その領域のみで栽培することができ、例えば、竹のようなものでも、確実に、所定の領域のみで栽培することができる。
このプランター１Ａによれば、前述した第１実施形態と同様の効果が得られる。
【０２５０】
なお、本発明では、中板９が省略されている場合は、例えば、各土止め板８の下部８２が底板７に到達するように構成する。これにより、側板３、４、底板７、前板５および土止め板８ａにより、第１の領域１１１が画成され、また、側板３、４、底板７、土止め板８ａおよび８ｂにより、第２の領域１１２が画成され、また、側板３、４、底板７、土止め板８ｂおよび８ｃにより、第３の領域１１３が画成され、また、側板３、４、底板７、土止め板８ｃおよび後板６により、第４の領域１１４が画成され、これらがすべて分離される。
【０２５１】
＜第４実施形態＞
図４８は、本発明のプランターセットの実施形態におけるプランターの第４実施形態を示す断面側面図である。
【０２５２】
なお、以下では、図４８中の上側を「上」、下側を「下」、左側を「前」、右側を「後」として説明を行う。
【０２５３】
以下、第４実施形態について、前述した第１実施形態との相違点を中心に説明し、同様の事項については、その説明を省略する。
【０２５４】
第４実施形態は、前方と後方との栽培土の量の差を低減する土量差低減手段を有すること以外は前記第１実施形態と同様である。
【０２５５】
すなわち、図４８に示すように、第４実施形態のプランター１Ａでは、中板９の高さは、前方から後方に向って段階的に増大している。すなわち、中板９が土量差低減手段を有している。
【０２５６】
これにより、前方と後方との栽培土の量の差を低減することができ、栽培土の全体量を減少させることができ、これによって、植物を栽培している状態のプランター１Ａを容易に移動させることができる。
【０２５７】
なお、中板９の高さは、前方から後方に向って連続的に増大していてもよい。
このプランター１Ａによれば、前述した第１実施形態と同様の効果が得られる。
【０２５８】
そして、このプランター１Ａは、例えば、背の高い樹木等が不要の場合に好適に用いることができる。
【０２５９】
なお、本発明では、中板９が省略されている場合は、例えば、底板７の高さを、前方から後方に向って連続的または段階的に増大させる。すなわち、底板７に土量差低減手段を設ける。
【０２６０】
＜第５実施形態＞
図４９は、本発明のプランターセットの実施形態におけるプランターの第５実施形態を示す断面側面図、図５０は、図４９に示すプランターの溝の近傍を拡大して示す斜視図である。
【０２６１】
なお、以下では、図４９中の上側を「上」、下側を「下」、左側を「前」、右側を「後」として説明を行う。
【０２６２】
以下、第５実施形態について、前述した第１実施形態との相違点を中心に説明し、同様の事項については、その説明を省略する。
【０２６３】
図４９に示すように、第５実施形態のプランター１Ａでは、各土止め板８ａ、８ｂ、８ｃに、複数の開口８３が形成されている。これにより、水を後方のみに供給すれば、その水は、各土止め板８の開口８３を通過し、前方まで供給される。すなわち、プランター１Ａ内の全体に供給される。
【０２６４】
また、図４９および図５０に示すように、後板６の頂部６１の前側には、溝部６４が設けられている。この溝部６４は、下側に底部６４１を有し、側板３から側板４まで延在している。
【０２６５】
また、溝部６４の底部６４１および側部６４２には、それぞれ、複数の開口６４３が並設されている。
【０２６６】
この溝部６４内に、所定の箇所から水を供給すると、その水は、溝部６４を流れ、各開口６４３からプランター１Ａ内の後方に供給される。そして、前述したように、その水は、前方まで供給される。
このプランター１Ａによれば、前述した第１実施形態と同様の効果が得られる。
【０２６７】
＜第６実施形態＞
図５１は、本発明のプランターセットの実施形態におけるプランターの第６実施形態を示す平面図、図５２は、図５１に示すプランターの土止め板の側方の端部の近傍を拡大して示す平面図である。
【０２６８】
なお、以下では、図５１および図５２中の上側を「後」、下側を「前」、左側を、「左」、右側を「右」として説明を行う。
【０２６９】
以下、第６実施形態について、前述した第１実施形態との相違点を中心に説明し、同様の事項については、その説明を省略する。
【０２７０】
図５１および図５２に示すように、第６実施形態のプランター１Ａでは、各土止め板８ａ、８ｂ、８ｃが、収容部２に、着脱自在に装着（設置）されるよう構成されている。なお、以下では、代表的に、土止め板８ｃについて説明する。
【０２７１】
図５２に示すように、土止め板８ｃの右側の端部には、Ｌ字状のフック８４が螺子留めされている。このフック８４は、土止め板８ｃの頂部８１から下部８２まで延在している。
【０２７２】
一方、側板４の土止め板８ｃの右側の端部に対応する部位には、フック８４の形状に対応する形状、すなわち、Ｌ字状の溝４１が形成されている。この溝４１は、側板４の上部から土止め板８ｃの下部８２に対応する部位まで延在している。
【０２７３】
前記と同様に、土止め板８ｃの左側の端部には、Ｌ字状のフック８４が螺子留めされており、側板３の土止め板８ｃの左側の端部に対応する部位には、Ｌ字状の溝３１が形成されている。
【０２７４】
土止め板８ｃを収容部２に装着する際は、各フック８４を、それぞれ、プランター１Ａの上方から側板３の溝３１および側板４の溝４１に挿入する。これにより、土止め板８ｃは、収容部２に装着され、各フック８４により、その土止め板８ｃの離脱を阻止することができる。
【０２７５】
また、土止め板８ｃは、異なる形状のもの、例えば、複数の開口が形成されたもの（図４９参照）と、開口が形成されていないもの（図３参照）とに交換可能なようになっている。これにより、用途等に応じて、土止め板８ｃの種類を変更することができ、汎用性が広がる。
このプランター１Ａによれば、前述した第１実施形態と同様の効果が得られる。
【０２７６】
以上、本発明のプランターセットを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０２７７】
また、本発明では、プランターセットは、第１のプランターと、第２のプランターと第３のプランターとの少なくとも一方とを有していればよい。また、各プランターとして、それぞれ、少なくとも１つを有していればよい。
【０２７８】
また、プランターセットの各プランターの形状は、前記実施形態の形状には限定されない。例えば、土止め板の平面視での形状は、前記実施形態では、直線状、円弧状であるが、これに限らず、例えば、楕円弧等の他の形状の曲線状でもよく、また、直線と曲線とを組み合わせたものであってもよい。
【０２７９】
また、プランターセットを設置する場所は、特に限定されず、屋内でもよく、また、屋外でもよい。
【０２８０】
具体例としては、例えば、ビルディング、マンション、住宅、駐車場、植物園、駅、空港等が挙げられ、それらの、例えば、屋上、ロビー、エントランス、ベランダ、室内、庭等に、設置することができる。
【０２８１】
また、本発明のプランターセットの用途は、特に限定されず、例えば、所定の部位（例えば、屋上、ベランダ等）の緑化、造園や菜園等が挙げられる。
【符号の説明】
【０２８２】
１、１Ａ〜１Ｚ、１α〜１ε  プランター
２              収容部
３              側板
３１            溝
４              側板
４１            溝
５              前板
５１            頂部
５３            開口
５５            手掛け
６              後板
６１            頂部
６３            開口
６４            溝部
６４１          底部
６４２          側部
６４３          開口
６５            手掛け
７              底板
７１            排出口
８、８ａ、８ｂ、８ｃ  土止め板
８１            頂部
８２            下部
８３            開口
８４            フック
９              中板
９１            開口
９２            脚部
１０            プランターセット
１１１          第１の領域
１１２          第２の領域
１１３          第３の領域
１１４          第４の領域
１２            連結部材
１３１〜１３４  壁
１３５〜１３８  入隅
１４            障害物
１４０          入隅
１４１〜１４６  壁
１４７〜１４９  出隅
【図１】
2010246431.tif 000003
【図２】
2010246431.tif 000004
【図３】
2010246431.tif 000005
【図４】
2010246431.tif 000006
【図５】
2010246431.tif 000007
【図６】
2010246431.tif 000008
【図７】
2010246431.tif 000009
【図８】
2010246431.tif 000010
【図９】
2010246431.tif 000011
【図１０】
2010246431.tif 000012
【図１１】
2010246431.tif 000013
【図１２】
2010246431.tif 000014
【図１３】
2010246431.tif 000015
【図１４】
2010246431.tif 000016
【図１５】
2010246431.tif 000017
【図１６】
2010246431.tif 000018
【図１７】
2010246431.tif 000019
【図１８】
2010246431.tif 000020
【図１９】
2010246431.tif 000021
【図２０】
2010246431.tif 000022
【図２１】
2010246431.tif 000023
【図２２】
2010246431.tif 000024
【図２３】
2010246431.tif 000025
【図２４】
2010246431.tif 000026
【図２５】
2010246431.tif 000027
【図２６】
2010246431.tif 000028
【図２７】
2010246431.tif 000029
【図２８】
2010246431.tif 000030
【図２９】
2010246431.tif 000031
【図３０】
2010246431.tif 000032
【図３１】
2010246431.tif 000033
【図３２】
2010246431.tif 000034
【図３３】
2010246431.tif 000035
【図３４】
2010246431.tif 000036
【図３５】
2010246431.tif 000037
【図３６】
2010246431.tif 000038
【図３７】
2010246431.tif 000039
【図３８】
2010246431.tif 000040
【図３９】
2010246431.tif 000041
【図４０】
2010246431.tif 000042
【図４１】
2010246431.tif 000043
【図４２】
2010246431.tif 000044
【図４３】
2010246431.tif 000045
【図４４】
2010246431.tif 000046
【図４５】
2010246431.tif 000047
【図４６】
2010246431.tif 000048
【図４７】
2010246431.tif 000049
【図４８】
2010246431.tif 000050
【図４９】
2010246431.tif 000051
【図５０】
2010246431.tif 000052
【図５１】
2010246431.tif 000053
【図５２】
2010246431.tif 000054